(57)【要約】  【課題】  大型店舗、イベント会場等における利用者の移動を容易にする。  【解決手段】  設置面において平面的に移動する移動通路をフロア面に設置し、この移動通路の一方の側にのみ手摺りを設置することにより、他方の側から通行人が任意の場所で通路外に出られるようにする。所定の位置に人感センサを設けて、利用者が通過する際に所定のアナウンスを行って、利用者の利便性の向上を図る。また、手摺りの終端部に段差を設けて利用者が通路終端を認識できるようにする。さらに、手摺りの反対側に所定間隔で乗降用握持部を設けて乗降の際に人が掴めるようにする。握時部は移動通路の進行方向に対し斜め前方に延在する欄干部を具え、各々が移動ベルトを具えてもよい。【選択図】        図１
2005170674.tif 000002
【特許請求の範囲】
【請求項１】
フロア面に設置され、設置面において平面的に移動する移動コンベアと、当該移動コンベアの一方の側に設置された手摺りを具えることを特徴とする平面移動式通路。
【請求項２】
請求項１に記載の平面移動式通路において、前記移動コンベアと手摺りが二組近接かつ並列に設けられており、それぞれの手摺りが、２本の移動コンベアの中央側に設置されていることを特徴とする平面移動式通路。
【請求項３】
請求項１又は２に記載の平面移動式通路において、前記手摺りが前記移動コンベアと同方向に同速度で移動するベルトを具えることを特徴とする平面移動式通路。
【請求項４】
請求項１ないし３のいずれかに記載の平面移動式通路において、前記手摺りが前記移動コンベアの終端手前にて段差を有することを特徴とする平面移動式通路。
【請求項５】
請求項１ないし４のいずれかに記載の平面移動式通路が、前記移動コンベアに乗って所定の場所を人が通過したときにそれを感知するセンサと、当該センサで人の通過を感知したときの感知信号を受けて所定のアナウンスをするアナウンス手段とを更に具えることを特徴とする平面移動式通路。
【請求項６】
請求項２ないし５のいずれかに記載の平面移動式通路において、前記２本の移動コンベアが互いに逆方向に移動することを特徴とする平面移動式通路。
【請求項７】
請求項１ないし６のいずれかに記載の平面移動式通路において、前記移動コンベアの手摺りの反対側に所定間隔で乗降用握持部が設置されていることを特徴とする平面移動式通路。
【請求項８】
請求項７に記載の平面移動式通路において、前記乗降用握持部は、前記手摺りの反対側であって前記移動コンベアの進行方向に対し斜め前方に延在する欄干部を具えることを特徴とする平面移動式通路。
【請求項９】
請求項７に記載の平面移動式通路において、前記乗降用握持部は、前記移動コンベアと同速度で循環移動するベルトを具えることを特徴とする平面移動式通路。
【請求項１０】
請求項１ないし６のいずれかに記載の平面移動式通路を設置したフロア構造。
【請求項１１】
コンベアまたはステップの移動に伴って循環移動する無端ベルトの手摺りを具える平面移動式通路において、前記手摺りが前記コンベアまたはステップの終端手前にて段差を有することを特徴とする平面移動式通路。
【請求項１２】
ステップの移動に伴って循環移動する無端ベルトの手摺りを具えるエスカレータにおいて、前記手摺りが前記ステップの終端手前にて段差を有することを特徴とするエスカレータ。
【発明の詳細な説明】
【技術分野】
【０００１】
本発明は、平面移動式通路およびエスカレータに関するものであり、特に大型店舗等のフロア面に設置することによって利用者の至便を図ることのできる平面移動式通路およびエスカレータに関する。
【背景技術】
【０００２】
いわゆる「動く歩道」と呼ばれる平面移動式通路は、例えば、空港などに設置されており、従来から、利用者の至便を図るものとして広く利用されている。
【０００３】
このような、従来の平面移動式通路は、いわゆる階段式のエスカレータをそのまま平面上に設置した構成であり、移動式コンベア（歩道）の両脇に手摺りが設けられており、その上を移動ベルトがコンベアと同方向に同速度で回動する構成になっている。
【発明の開示】
【発明が解決しようとする課題】
【０００４】
近年は、郊外にスーパーマーケット、ハードウエアショップなどの大型店が増えており、一の店舗でさまざまな品物を購入することができるよう顧客の便宜が図られている。しかしながら、このような大型店舗では、フロア面積が非常に大きいため、身体障害者や、老人はもちろんのこと、ごく普通の買物客でも店内を見て回ると疲れを感じることが多い。また、新商品の展示等のさまざまなイベントが広い会場で開催されており、このような会場を徒歩で見て回るのにも、多大な労力を必要とする。
【０００５】
このような課題を解決すべく、上述した従来型の平面移動式通路を大型店舗、あるいはイベント会場のフロアに設置して、フロア内の移動を容易にすることが考えられ、これは、上述したとおり、従来のエスカレータを平面移動させる構成で、空港などですでに行われている。しかしながら、従来の平面移動式通路は通路の両脇に手摺りが設けられているため、移動式通路に一旦乗ってしまうと、移動途中になにか品物を見たいような場合に、通路の終端まで一旦移動して、目的の場所まで戻ってこなくてはならないという不便がある。
【課題を解決するための手段】
【０００６】
そこで、本発明の平面移動式通路は、フロア面に設置され、設置面において平面的に移動する移動コンベアと、当該移動コンベアの一方の側に設置された手摺りを具えることを特徴とし、所望の位置で自在に移動通路に乗降することができるようにした。
【０００７】
なお、好適な実施形態においては、前記移動コンベアと手摺りが二組近接かつ並列に設けられており、それぞれの手摺りが、２本の移動コンベアの中央側に設置されていることが好ましい。なお、前記手摺りは前記移動コンベアと同方向に同速度で移動するベルトを具えるようにしてもよい。
【０００８】
本発明の平面移動式通路は、移動コンベアと同速度で移動するベルトの手摺りに前記移動通路の終端手前にて段差を設けたことを特徴とする。段差を設けることにより、利用者は、移動通路の終端近くに来ていることを容易に知ることができる。なお、この段差は所謂動く歩道のみならず、上下フロアをつなぐエスカレータの終端部分にも適用することができる。
【０００９】
さらに、本発明の通路は、前記移動コンベアに乗って所定の場所を人が通過したときにそれを感知するセンサと、当該センサで人の通過を感知したときの感知信号を受けて所定のアナウンスをするアナウンス手段とを更に具えることを特徴とする。
【００１０】
このアナウンスの内容は、例えば近くにある売場の案内や、レジやトイレの案内などであってもよく、また、移動通路の終端が近づいていることの案内でもよい。このアナウンスによって、利用者はより便利に移動通路を利用することができるようになる。
【００１１】
なお、前記２本の移動コンベアが互いに逆方向に移動することができる。
【００１２】
また、前記移動コンベアの手摺りの反対側に所定間隔で乗降用握持部を設置して、移動通路の途中で乗降する人が掴めるようにしてもよい。乗降する人の便宜となる。この乗降用握持部は、例えば前記手摺りの反対側であって前記移動コンベアの進行方向に対し斜め前方に延在する欄干部を設けて構成する。また、乗降用握持部は前記ベルトコンベアと同速度で循環移動するベルトを具えるようにしてもよい。
【００１３】
上述した、本発明の平面移動式通路は、スーパーマーケットなどの大型店舗、ホテル、空港、あるいはイベント会場など、広いフロア構造を有する場所であれば、どのような場所に設置しても良い。
【発明の効果】
【００１４】
以上説明したとおり、本発明の平面移動式通路によれば、利用者は所望の位置で移動式通路に乗り降りすることができ、したがって、フロア面積の広いスーパーマーケットや、イベント会場などの移動を容易に行うことが可能となる。また、終端部分に段差やアナウンス機能を設けることにより、より便利に移動式通路を利用することができるようになる。さらに、通路の外側に所定間隔で設けられた乗降用握持部に掴まれるようにしたので、乗降する際の安定度を向上させることができる。
【発明を実施するための最良の形態】
【００１５】
以下に、図面を参照して本発明の平面移動式通路を詳細に説明する。
図１は、本発明に係る平面移動式通路を設置したフロア構造の平面図である。図１において、フロアの周面側（壁側）および中央部に、適宜商品陳列棚１が配置されている。陳列棚間には通路２が設けられており、利用者はこの通路２を通って陳列してある商品を見て廻ることができる。通路面２は、平面移動式通路を設置するのに十分な幅をもって構成されており、図１に示すとおり、陳列棚１間の通路２の床面に、平面移動式通路３が設置されている。なお、図１の矢印は、通路３の移動方向を示す。
【００１６】
図１に示す実施形態では、各移動式通路３は直線的に設置されているが、陳列棚１の配置等、必要に応じて、円形、半円形、扇形などに設置しても良い。また、図１の例では、２本の移動式通路３を隣接させ、逆方向に移動するように配置しているが、一本のみ配置するようにしても良いことはもちろんである。
【００１７】
移動式通路３は、ベルトコンベアや、平面エスカレータで構成する。なお、通路３の形状が直線でない場合は、平面エスカレータで構成することが好ましい。
【００１８】
図２乃至図４は、平面エスカレータで構成した移動式通路３の詳細を示す図であり、図２は平面図、図３は側面図、図４は斜視図である。
【００１９】
図２乃至４に示すように、移動式通路３は、２つの平面エスカレータ４ａおよび４ｂと、これらエスカレータの中央側に設けた手摺り５と、当該手摺り５の外周を平面エスカレータ４ａ、４ｂと同方向に同速度で回動するベルト５ａ、５ｂとを具えている。なお、この平面エスカレータ４を動かす機構、およびベルト５を回動させる機構は公知であるので、ここではその詳細な説明は省略する。なお、平面エスカレータ４ａと４ｂは、本例では逆方向に移動させるようにしているが、同方向に移動させてもかまわない。また、手摺り５は、壁面を有する構成としているが、必ずしもこの構成でなくとも良く、例えば、パイプ状部材を用いて手摺りとしてもよい。
【００２０】
図５は、本発明の平面移動式通路の変形例を示す図である。この例では、移動式通路３の終端近傍にて手摺り５に段差５ｃを設けるようにした。このように構成することによって、利用者は自身が通路の終端に近づいていることを容易に認識することができる。なお、段差５ｃは、手摺りの両端に設けるようにしても良い。段差５ｃの位置は、手摺り５の端部から１〜２ｍくらい手前に、またその高さは５〜１０ｃｍ程度として、利用者が段差５ｃの存在を容易に認識できるようにする。
【００２１】
なお、この手摺りの段差５ｃは、平面移動式通路（所謂動く歩道）のみならず、上下フロア間に渡されるエスカレータの終端部分に適用することもできる。エスカレータの終端近傍の手摺りに段差を設けることにより、利用者がエスカレータの終端に近づいていることを容易に認識することができる。さらに、移動式通路やエスカレータの移動手摺りの段差は、一段高くなるものであっても低くなるものであってもよい。
【００２２】
図６は、本発明の平面移動式通路の他の実施形態を示す図である。本実施形態では、平面移動式通路上を移動する人を感知する人感センサ６を所定の箇所に設けて、このセンサの出力に応じて、スピーカ７でアナウンスを行うようにした。
【００２３】
人感センサ６は、例えば、上述した手摺りの段差５ｃに代えて、手摺り５の終端近傍に設け、その位置を利用者が通過したときにセンサ６の出力を受けて、スピーカ７から「まもなく終点です。」といったアナウンスを行うようにする。なお、センサ６の取り付け位置は、通路の終端に限られるものではなく、例えば、各陳列棚を通過する地点に設けて、当該棚に陳列されている商品に関するアナウンスをしたり、あるいは、レジや、トイレ、喫煙所、非常口といった場所に近づく位置にセンサ設けて、これらの案内情報をアナウンスするなどしてもよい。
【００２４】
図６の例では、センサ６をフロアの天井に、スピーカ７をフロアの壁面に設けるようにしているが、この位置はフロア全体の設計を勘案して適宜決めることができる。例えば、図７に示すようにセンサ６や、スピーカ７を手摺り５の壁面に設けることもできる。この場合は、センサ方向を斜め下側に向けて、通路上にいる利用者のみを感知するようにする。
【００２５】
人感センサ６には、光センサ、熱センサ、電気センサ、圧力センサ等、公知のものを利用することができる。また、アナウンスの手段は、アナウンスの内容に該当する位置（通路終端、レジやトイレ、喫煙所、非常口等の最寄り位置）に取り付けたスピーカからテープ等に記録した音声情報を流すようにする。
【００２６】
代替として、イベント会場などでは、各利用者に受信機およびアナウンス機能付き携帯用ヘッドホン（あるいはイヤホーン）を貸し出して装着してもらい、利用者が所定の位置に来たことを検出したセンサ６からの信号を受信機で受信して、ヘッドホン（イヤホーン）から必要なアナウンスを流すようにしても良い。
【００２７】
図８は、本発明の平面移動式通路の更なる別の実施形態を示す図である。本実施形態では、通路の手摺りと反対側に所定間隔で乗降用握持部９を設置することにより、人が通路の途中で乗降する際の利便性を向上させている。この乗降用握持部９は、図８（ｂ）に示すように、通路３の脇から垂直方向に延在する支柱９ａと、手摺り５とほぼ同じ高さで水平方向に延在する欄干部９ｂとを具えている。図８（ａ）に示すように、欄干部９ｂは手摺り５の反対側であって通路の進行方向に対し斜め前方に延在しており、人が降りる際に掴まり自然な形で外側に足を踏み出せるようにしている。好適な実施例では、乗降用握持部９は５ｍ前後の間隔で設けられており、欄干部９ｂの長さは５０〜８０ｃｍである。
【００２８】
握持部９は曲折した棒状部材の表面に例えば発泡ウレタン樹脂等のクッション性のある素材を設けて構成することができる。用いる棒状部材は人間が掴まってぐらつかない程度の強度であるが、ある程度以上の力が加わると折れ曲がるようにして、例えば利用者が荷物と握持部９との間に挟まったような場合にも利用者が傷つかないようにする。また、利用者が握持部９に引っかからないように、欄干部９ｂの自由端は必ず通路３の移動方向下流側に向けるようにすることが重要である。
【００２９】
なお、この欄干部９ｂは通路３と同方向に延在していてもよい。さらに、図9に別の例を示すように、
欄干部１０ｂは一部（上流側）が通路３と同方向に延在し、途中から通路３の外側に向けて屈曲されていてもよい。このようにすると、通路３を移動する通行人が握持部１０を掴み易く、かつ通路外に降り易くなる。
【００３０】
図１０は、本発明の平面移動式通路の更なる実施形態を示す図である。図１０に示すように、本実施形態では、通路脇の乗降用握持部１１を移動ベルトで構成している。すなわち、通路の手摺りと反対側に所定間隔で乗降用握持部１１が設けられており、各握持部１１が通路３と同速度で循環移動する無端ベルトを具えて構成されている。この握持部１１は各々が長さ約１ｍ程度に構成され、５ｍ前後の間隔で設けられている。図１０（ａ）に示すように、各握持部１１は手摺り５の反対側であって通路の進行方向に対し斜め前方に延在している。各握持部１１は地中にモータと送りローラからなるベルト移動機構を有するが、これは従来の動く歩道やエスカレータの手摺りを循環移動させるものと何ら変わりがないのでその説明は省略する。
【００３１】
本発明の平面移動式通路では、通路の片側がオープンになっており、利用者は所望の位置で通路に乗り降りすることが可能である。このため、通路の移動速度は、安全のため比較的遅いほうがよい。
【図面の簡単な説明】
【００３２】
【図１】本発明の平面移動式通路を配置したフロア構造の一例を示す図である。
【図２】本発明の平面移動式通路の一構成例を示す平面図である。
【図３】図２に示す平面移動式通路の側面図である。
【図４】図２に示す平面移動式通路の斜視図である。
【図５】本発明の平面移動式通路の変形例を示す図である。
【図６】本発明の平面移動式通路の他の実施形態を示す図である。
【図７】本発明の平面移動式通路のセンサ位置を示す図である。
【図８】本発明の平面移動式通路の他の実施形態を示す図である。
【図９】本発明の平面移動式通路の他の実施形態を示す図である。
【図１０】本発明の平面移動式通路の他の実施形態を示す図である。
【符号の説明】
【００３３】
１    陳列棚
２    陳列棚間の通路
３    平面移動式通路
４    平面エスカレータ
５    手摺り
５ｃ  段差
６    センサ
７    スピーカ
９、１０    握持部
９ａ  支柱
９ｂ  欄干部
【図１】
2005170674.tif 000003
【図２】
2005170674.tif 000004
【図３】
2005170674.tif 000005
【図４】
2005170674.tif 000006
【図５】
2005170674.tif 000007
【図６】
2005170674.tif 000008
【図７】
2005170674.tif 000009
【図８】
2005170674.tif 000010
【図９】
2005170674.tif 000011
【図１０】
2005170674.tif 000012